(57)【要約】【課題】第１のハウジング（１２）、第２のハウジング（１８）、嵌合補助スライダ（２８）、およびカム歯車（４０）を含むコネクタ（１０）を提供すること。【解決手段】第１のハウジング（１２）は、第１の外面（１４）を有する。第２のハウジング（１８）は、第１のハウジング（１２）に嵌合するように構成され、第２のハウジング（１８）は、第２の外面（２０）から延びるピン（２２）を含む。コネクタ（１０）は、非嵌合位置（３０）から嵌合位置（３２）に移動可能な嵌合補助スライダ（２８）も含む。コネクタ（１０）は、第１の外面（１４）に取り付けられるカム歯車（４０）も含む。嵌合補助スライダ（２８）の非嵌合位置（３０）から嵌合位置（３２）への動きに応じて、カム歯車（４０）が動く。カム歯車（４０）は、慣性戻り止め（４８）を備えるカムスロット（４４）を有する。ピン（２２）が慣性戻り止め（４８）を通り過ぎて動かされるとき、コネクタハウジングが適切に配置されたことを示す振動フィードバック（５２）が、組立者に与えられる。【選択図】図１
2018129299.tif 000002
【特許請求の範囲】
【請求項１】
コネクタ（１０）であって、該コネクタ（１０）は、
案内スロット（１６）を画定する第１の外面（１４）を有する第１のハウジング（１２）と、
第２の外面（２０）を有する第２のハウジング（１８）とを備えており、
前記第２のハウジング（１８）は、前記第１のハウジング（１２）に嵌合するように構成されており、前記第２のハウジング（１８）は、前記第２の外面（２０）から延びるピン（２２）を含み、前記ピン（２２）は、カム部（２４）と案内部（２６）とを画定しており、前記案内部（２６）は、前記案内スロット（１６）と係合するように構成されており、
前記コネクタ（１０）は、また、
非嵌合位置（３０）から嵌合位置（３２）に移動可能な嵌合補助スライダ（２８）を備えており、
前記嵌合補助スライダ（２８）は、長手方向に摺動可能に前記第１の外面（１４）の少なくとも一部に取り付けられており、また、前記第１の外面（１４）の少なくとも一部を囲んでおり、前記嵌合補助スライダ（２８）は、ラック歯（３８）を有する歯車ラック（３６）を含んでおり、
前記コネクタ（１０）は、さらに、
前記第１の外面（１４）に可動に取り付けられたカム歯車（４０）を備えており、
前記カム歯車（４０）は、前記ラック歯（３８）と係合する歯車歯（４２）を有しており、それによって、前記嵌合補助スライダ（２８）の前記非嵌合位置（３０）から前記嵌合位置（３２）への動きに応じて、前記カム歯車（４０）が動き、前記カム歯車（４０）は、前記ピン（２２）の前記カム部（２４）を受けるためのカムスロット（４４）を画定しており、前記カムスロット（４４）は、前記案内スロット（１６）の一部を覆って前記ピン（２２）の前記カム部（２４）の移動経路（５０）を部分的に遮る慣性戻り止め（４８）を有する入口（４６）を有しており、それによって、前記ピン（２２）が前記慣性戻り止め（４８）を通り過ぎて動かされるとき、コネクタハウジングが適切に配置されたことを示す振動フィードバック（５２）が、組立者に与えられ、前記嵌合補助スライダ（２８）を前記非嵌合位置（３０）から前記嵌合位置（３２）に動かすことが可能になることを特徴とする、コネクタ（１０）。
【請求項２】
請求項１に記載のコネクタ（１０）において、
前記カム歯車（４０）の前記歯車歯（４２）は、曲線状経路（５４）に沿って位置合わせされていることを特徴とする、コネクタ（１０）。
【請求項３】
請求項１に記載のコネクタ（１０）において、
前記カム歯車（４０）の前記歯車歯（４２）は、直線状経路（５６）に沿って位置合わせされていることを特徴とする、コネクタ（１０）。
【請求項４】
請求項１に記載のコネクタ（１０）において、
前記カム歯車（４０）の前記カムスロット（４４）は、さらに、終端（５８）を画定しており、
前記カム歯車（４０）は、さらに、前記第１のハウジング（１２）の枢動ピン（６２）に前記カム歯車（４０）を可動に取り付けるように構成された枢動穴（６０）を画定しており、
前記枢動穴（６０）は、開口部（６４）を画定しており、
前記枢動穴（６０）の一部が、前記カムスロット（４４）と連通しており、
前記カム歯車（４０）が動かされるとき、前記ピン（２２）は、前記終端（５８）に軸方向に引き寄せられ、それによって、前記ピン（２２）と前記枢動ピン（６２）が、前記開口部（６４）で、０．７ミリメートル未満の間隔で並べられることを特徴とする、コネクタ（１０）。
【請求項５】
請求項１に記載のコネクタ（１０）において、
前記カム歯車（４０）は、ロック用タブ（６６）を含み、
前記第２のハウジング（１８）が前記第１のハウジング（１２）に係合されるとき、前記第２のハウジング（１８）から延びるロック解除用リブ（６８）が前記ロック用タブ（６６）との係合を解除（７０）するまで、前記ロック用タブ（６６）は、前記カム歯車（４０）および前記嵌合補助スライダ（２８）の動きを防止するように構成されていることを特徴とする、コネクタ（１０）。
【請求項６】
コネクタ（１０）であって、該コネクタ（１０）は、
案内スロット（１６）を画定する第１の外面（１４）を有する第１のハウジング（１２）と、
第２の外面（２０）を有する第２のハウジング（１８）とを備えており、
前記第２のハウジング（１８）は、前記第１のハウジング（１２）に嵌合するように構成されており、前記第２のハウジング（１８）は、前記第２の外面（２０）から延びるピン（２２）を含んでおり、前記ピン（２２）は、カム部（２４）および案内部（２６）を画定しており、前記案内部（２６）は、前記案内スロット（１６）と係合するように構成されており、
前記コネクタ（１０）は、また、
非嵌合位置（３０）から嵌合位置（３２）に移動可能な嵌合補助スライダ（２８）を備えており、
前記嵌合補助スライダ（２８）は、長手方向に摺動可能に前記第１の外面（１４）の少なくとも一部に取り付けられており、また、前記第１の外面（１４）の少なくとも一部を囲んでおり、前記嵌合補助スライダ（２８）は、ラック歯（３８）を有する歯車ラック（３６）を含んでおり、
前記コネクタ（１０）は、さらに、
前記第１の外面（１４）に可動に取り付けられたカム歯車（４０）を備えており、
前記カム歯車（４０）は、前記ラック歯（３８）と係合する歯車歯（４２）を有しており、それによって、前記嵌合補助スライダ（２８）の前記非嵌合位置（３０）から前記嵌合位置（３２）への動きに応じて前記カム歯車（４０）が動き、前記カム歯車（４０）は、前記ピン（２２）の前記カム部（２４）を受けるためのカムスロット（４４）を画定しており、前記カムスロット（４４）は、入口（４６）および終端（５８）を有しており、前記カム歯車（４０）は、さらに、前記第１のハウジング（１２）の枢動ピン（６２）に前記カム歯車（４０）を可動に取り付けるように構成された枢動穴（６０）を画定しており、前記枢動穴（６０）は、開口部（６４）を画定しており、前記枢動穴（６０）の一部は、前記カムスロット（４４）と連通しており、前記嵌合補助スライダ（２８）が前記非嵌合位置（３０）から前記嵌合位置（３２）に動かされるとき、前記ピン（２２）が、軸方向に前記終端（５８）に引き寄せられ、それによって、前記第２のハウジング（１８）が前記第１のハウジング（１２）と嵌合され、その結果、前記ピン（２２）と前記枢動ピン（６２）が、前記開口部（６４）で０．７ミリメートル未満の間隔で並べられることを特徴とする、コネクタ（１０）。
【請求項７】
請求項６に記載のコネクタ（１０）において、
前記カム歯車（４０）の前記歯車歯（４２）は、曲線状経路（５４）に沿って位置合わせされていることを特徴とする、コネクタ（１０）。
【請求項８】
請求項６に記載のコネクタ（１０）において、
前記カム歯車（４０）は、ロック用タブ（６６）を含み、
前記第２のハウジング（１８）が前記第１のハウジング（１２）に嵌合されるとき、前記第２のハウジング（１８）から延びるロック解除用リブ（６８）が、前記ロック用タブ（６６）との係合を解除（７０）するまで、前記ロック用タブ（６６）は、前記カム歯車（４０）の動きを防止するように構成されていることを特徴とする、コネクタ（１０）。
【請求項９】
コネクタ（１０）であって、該コネクタ（１０）は、
案内スロット（１６）を画定する第１の外面（１４）を有する第１のハウジング（１２）と、
第２の外面（２０）を有する第２のハウジング（１８）とを備えており、
前記第２のハウジング（１８）は、前記第１のハウジング（１２）に嵌合するように構成されており、前記第２のハウジング（１８）は、前記第２の外面（２０）から延びるピン（２２）を含んでおり、前記ピン（２２）は、カム部（２４）および案内部（２６）を画定しており、前記案内部（２６）は、前記案内スロット（１６）と係合するように構成されており、
前記コネクタ（１０）は、また、
非嵌合位置（３０）から嵌合位置（３２）に移動可能な嵌合補助スライダ（２８）を備えており、
前記嵌合補助スライダ（２８）は、長手方向に摺動可能に前記第１の外面（１４）の少なくとも一部に取り付けられ、前記第１の外面（１４）の少なくとも一部を囲んでおり、前記嵌合補助スライダ（２８）は、ラック歯（３８）を有する歯車ラック（３６）を含んでおり、
前記コネクタ（１０）は、さらに、
前記第１の外面（１４）に可動に取り付けられたカム歯車（４０）を備えており、
前記カム歯車（４０）は、前記ラック歯（３８）と係合する歯車歯（４２）を有しており、それによって、前記嵌合補助スライダ（２８）の前記非嵌合位置（３０）から前記嵌合位置（３２）への動きに応じて前記カム歯車（４０）が動き、
前記カム歯車（４０）は、前記ピン（２２）の前記カム部（２４）を受けるためのカムスロット（４４）を画定しており、
前記カム歯車（４０）は、ロック用タブ（６６）を含んでおり、
前記第２のハウジング（１８）が前記第１のハウジング（１２）に嵌合されるとき、前記第２のハウジング（１８）から延びるロック解除用リブ（６８）が前記ロック用タブ（６６）との係合を解除（７０）するまで、前記ロック用タブ（６６）は、前記カム歯車（４０）および前記嵌合補助スライダ（２８）の動きを防止するように構成されていることを特徴とする、コネクタ（１０）。
【請求項１０】
コネクタ（１０）であって、該コネクタ（１０）は、
案内スロット（１６）を画定する第１のハウジング（１２）と、
前記第１のハウジング（１２）に嵌合するように構成された第２のハウジング（１８）とを備えており、
前記第２のハウジング（１８）は、前記案内スロット（１６）と係合するように構成されたピン（２２）を含んでおり、
前記コネクタ（１０）は、また、
非嵌合位置（３０）から嵌合位置（３２）に移動可能な嵌合補助スライダ（２８）を備えており、
前記嵌合補助スライダ（２８）は、前記第１のハウジング（１２）に摺動可能に取り付けられており、前記嵌合補助スライダ（２８）は、歯車ラック（３６）を含んでおり、
前記コネクタ（１０）は、さらに、
前記第１のハウジング（１２）に可動に取り付けられたカム歯車（４０）を備えており、前記カム歯車（４０）は、前記歯車ラック（３６）に係合し、それによって、前記嵌合補助スライダ（２８）の動きに応じて前記カム歯車（４０）が動き、
前記カム歯車（４０）は、前記ピン（２２）を受けるためのカムスロット（４４）を画定しており、
前記カムスロット（４４）は、前記案内スロット（１６）の上に配置された慣性戻り止め（４８）を有する入口（４６）を有していることを特徴とする、コネクタ（１０）。
【請求項１１】
請求項１０に記載のコネクタ（１０）において、
前記ピン（２２）が前記慣性戻り止め（４８）を通り過ぎて動かされるとき、組立者に振動フィードバック（５２）が与えられ、前記嵌合補助スライダ（２８）を前記非嵌合位置（３０）から前記嵌合位置（３２）に動かすことが可能になることを特徴とする、コネクタ（１０）。
【請求項１２】
請求項１０に記載のコネクタ（１０）において、
前記ピン（２２）が前記慣性戻り止め（４８）を通り過ぎて動かされるとき、前記慣性戻り止め（４８）が偏向し、定位置に戻ることを特徴とする、コネクタ（１０）。
【請求項１３】
請求項１０に記載のコネクタ（１０）において、
前記歯車ラック（３６）は、ラック歯（３８）を有することを特徴とする、コネクタ（１０）。
【請求項１４】
請求項１０に記載のコネクタ（１０）において、
前記カム歯車（４０）は、曲線状経路（５４）に沿って位置合わせされる歯車歯（４２）を含むことを特徴とする、コネクタ（１０）。
【請求項１５】
請求項１０に記載のコネクタ（１０）において、
前記カム歯車（４０）は、直線状経路（５６）に沿って位置合わせされる歯車歯（４２）を含むことを特徴とする、コネクタ（１０）。
【請求項１６】
請求項１０に記載のコネクタ（１０）において、
前記カム歯車（４０）の前記カムスロット（４４）は、終端（５８）をさらに画定しており、
前記カム歯車（４０）は、前記第１のハウジング（１２）の枢動ピン（６２）に前記カム歯車（４０）を可動に取り付けるように構成された枢動穴（６０）をさらに画定しており、
前記枢動穴（６０）は、開口部（６４）を画定しており、
前記枢動穴（６０）の一部が、前記カムスロット（４４）と連通しており、
前記カム歯車（４０）が動かされるとき、前記ピン（２２）が、前記終端（５８）に軸方向に引き寄せられ、それによって、前記ピン（２２）と前記枢動ピン（６２）が、前記開口部（６４）で、０．７ミリメートル未満の間隔で並べられることを特徴とする、コネクタ（１０）。
【請求項１７】
請求項１０に記載のコネクタ（１０）において、
前記カム歯車（４０）は、ロック用タブ（６６）を含み、
前記第２のハウジング（１８）が前記第１のハウジング（１２）に嵌合されるとき、前記第２のハウジング（１８）から延びるロック解除用リブ（６８）が、前記ロック用タブ（６６）との係合を解除（７０）するまで、前記ロック用タブ（６６）は、前記カム歯車（４０）および前記嵌合補助スライダ（２８）の動きを防止するように構成されていることを特徴とする、コネクタ（１０）。
【請求項１８】
請求項１０に記載のコネクタ（１０）において、
前記慣性戻り止め（４８）は、前記案内スロット（１６）の一部を覆い、前記ピン（２２）の移動経路（５０）を部分的に遮ることを特徴とする、コネクタ（１０）。
【請求項１９】
コネクタ（１０）であって、該コネクタ（１０）は、
案内スロット（１６）を画定する第１のハウジング（１２）と、
前記第１のハウジング（１２）に嵌合するように構成された第２のハウジング（１８）とを備えており、
前記第２のハウジング（１８）は、前記案内スロット（１６）と係合するように構成されたピン（２２）を含んでおり、
前記コネクタ（１０）は、また、
非嵌合位置（３０）から嵌合位置（３２）に移動可能な嵌合補助スライダ（２８）を備えており、
前記嵌合補助スライダ（２８）は、前記第１のハウジング（１２）に摺動可能に取り付けられており、前記嵌合補助スライダ（２８）は、歯車ラック（３６）を含んでおり、
前記コネクタ（１０）は、さらに、
前記第１のハウジング（１２）に可動に取り付けられたカム歯車（４０）を備えており、
前記カム歯車（４０）は前記歯車ラック（３６）と係合し、それによって、前記嵌合補助スライダ（２８）の動きに応じて前記カム歯車（４０）が動き、
前記カム歯車（４０）は、前記ピン（２２）を受けるためのカムスロット（４４）を画定しており、
前記カムスロット（４４）は、入口（４６）および終端（５８）を有しており、
前記カム歯車（４０）は、前記第１のハウジング（１２）の枢動ピン（６２）に、前記カム歯車（４０）を可動に取り付けるように構成された枢動穴（６０）をさらに画定しており、
前記嵌合補助スライダ（２８）が、前記非嵌合位置（３０）から前記嵌合位置（３２）に動かされるとき、前記ピン（２２）が、前記終端（５８）に軸方向に引き寄せられることを特徴とする、コネクタ（１０）。
【請求項２０】
請求項１９に記載のコネクタ（１０）において、
前記枢動穴（６０）は、開口部（６４）を画定しており、
前記枢動穴（６０）の一部が、前記カムスロット（４４）と連通していることを特徴とする、コネクタ（１０）。
【請求項２１】
請求項２０に記載のコネクタ（１０）において、
前記ピン（２２）が前記終端（５８）に軸方向に引き寄せられるとき、前記ピン（２２）と前記枢動ピン（６２）が、前記開口部（６４）で、０．７ミリメートル未満の間隔で並べられることを特徴とする、コネクタ（１０）。
【請求項２２】
請求項１９に記載のコネクタ（１０）において、
前記歯車ラック（３６）が、ラック歯（３８）を有することを特徴とする、コネクタ（１０）。
【請求項２３】
請求項１９に記載のコネクタ（１０）において、
前記カム歯車（４０）が、曲線状経路（５４）に沿って位置合わせされる歯車歯（４２）を含むことを特徴とする、コネクタ（１０）。
【請求項２４】
請求項１９に記載のコネクタ（１０）において、
前記カム歯車（４０）は、ロック用タブ（６６）を含み、
前記第２のハウジング（１８）が前記第１のハウジング（１２）に嵌合されるとき、前記第２のハウジング（１８）から延びるロック解除用リブ（６８）が、前記ロック用タブ（６６）との係合を解除（７０）するまで、前記ロック用タブ（６６）は、前記カム歯車（４０）の動きを防止するように構成されていることを特徴とする、コネクタ（１０）。
【請求項２５】
コネクタ（１０）であって、該コネクタ（１０）は、
案内スロット（１６）を画定する第１のハウジング（１２）と、
前記第１のハウジング（１２）に嵌合するように構成された第２のハウジング（１８）とを備えており、
前記第２のハウジング（１８）は、前記案内スロット（１６）と係合するように構成されたピン（２２）を含んでおり、
前記コネクタ（１０）は、また、
非嵌合位置（３０）から嵌合位置（３２）に移動可能な嵌合補助スライダ（２８）を備えており、
前記嵌合補助スライダ（２８）は、前記第１のハウジング（１２）に摺動可能に取り付けられており、前記嵌合補助スライダ（２８）は、歯車ラック（３６）を含んでおり、
前記コネクタ（１０）は、さらに、
前記第１のハウジング（１２）に可動に取り付けられたカム歯車（４０）を備えており、
前記カム歯車（４０）は、前記歯車ラック（３６）と係合し、それによって、前記嵌合補助スライダ（２８）の動きに応じて前記カム歯車（４０）が動き、
前記カム歯車（４０）は、前記ピン（２２）を受けるためのカムスロット（４４）を画定しており、
前記カム歯車（４０）は、ロック用タブ（６６）を含んでおり、
前記ロック用タブ（６６）は、前記カム歯車（４０）および前記嵌合補助スライダ（２８）の動きを防止するように構成されていることを特徴とする、コネクタ（１０）。
【請求項２６】
請求項２５に記載のコネクタ（１０）において、
前記第２のハウジング（１８）が前記第１のハウジング（１２）に嵌合されるとき、前記ロック用タブ（６６）との係合を解除（７０）するロック解除用リブ（６８）を、前記第２のハウジング（１８）が含むことを特徴とする、コネクタ（１０）。
【請求項２７】
ワイヤハーネスであって、該ワイヤハーネスは、
配線束と、
第１のハウジング（１２）、第２のハウジング（１８）、嵌合補助スライダ（２８）、およびカム歯車（４０）を有するコネクタ（１０）とを備えており、
前記第１のハウジング（１２）は、案内スロット（１６）を画定しており、
前記第２のハウジング（１８）は、前記第１のハウジング（１２）に嵌合するように構成されており、
前記第２のハウジング（１８）は、前記案内スロット（１６）と係合するように構成されたピン（２２）を含んでおり、
前記嵌合補助スライダ（２８）は、非嵌合位置（３０）から嵌合位置（３２）に移動可能であり、
前記嵌合補助スライダ（２８）は、前記第１のハウジング（１２）に摺動可能に取り付けられており、
前記嵌合補助スライダ（２８）は、歯車ラック（３６）を含んでおり、
前記カム歯車（４０）は、前記第１のハウジング（１２）に可動に取り付けられており、
前記カム歯車（４０）は、前記歯車ラック（３６）と係合し、それによって、前記嵌合補助スライダ（２８）の動きに応じて前記カム歯車（４０）が動き、
前記カム歯車（４０）は、前記ピン（２２）を受けるためのカムスロット（４４）を画定しており、
前記カムスロット（４４）は、前記案内スロット（１６）の上に配置された慣性戻り止め（４８）を有する入口（４６）を有し、それによって、前記ピン（２２）が前記慣性戻り止め（４８）を通り過ぎて動かされるとき、組立者に振動フィードバック（５２）が与えられ、前記嵌合補助スライダ（２８）を前記非嵌合位置（３０）から前記嵌合位置（３２）に動かすことが可能になることを特徴とする、ワイヤハーネス。
【請求項２８】
請求項２７に記載のワイヤハーネスにおいて、
前記カム歯車（４０）の前記カムスロット（４４）は、終端（５８）をさらに画定しており、
前記カム歯車（４０）は、前記第１のハウジング（１２）の枢動ピン（６２）に、前記カム歯車（４０）を可動に取り付けるように構成された枢動穴（６０）をさらに画定しており、
前記枢動穴（６０）は、開口部（６４）を画定しており、
前記枢動穴（６０）の一部が、前記カムスロット（４４）と連通しており、
前記嵌合補助スライダ（２８）が、前記非嵌合位置（３０）から前記嵌合位置（３２）に動かされるとき、前記ピン（２２）が、前記終端（５８）に軸方向に引き寄せられることを特徴とする、ワイヤハーネス。
【請求項２９】
請求項２７に記載のワイヤハーネスにおいて、
前記カム歯車（４０）は、ロック用タブ（６６）を含んでおり、
前記ロック用タブ（６６）は、前記カム歯車（４０）および前記嵌合補助スライダ（２８）の動きを防止するように構成されており、
前記第２のハウジング（１８）が前記第１のハウジング（１２）に嵌合されるとき、前記ロック用タブ（６６）との係合を解除（７０）するロック解除用リブ（６８）を、前記第２のハウジング（１８）が含むことを特徴とする、ワイヤハーネス。
【発明の詳細な説明】
【技術分野】
【０００１】
[0001]本開示は、概してコネクタに関し、より詳細には、嵌合補助構造を有する電気コネクタに関する。
【背景技術】
【０００２】
[0002]自動車用途で使用される電気コネクタにおける嵌合補助構造を用いることが知られており、特に自動車用途においては、車載される電気部品が増加したことにより、１システム当たりに、より多くの数のインプット／アウトプット（Ｉ／Ｏ）接続が必要とされている。一体型のレバー機構を利用するコネクタは、通常、このレバー補助機構を閉じる前に、コネクタをあらかじめ位置決めすることを必要とする。これらの連結システムは、人間工学的な配慮に欠けており、嵌合時に受ける損傷および／または嵌合ミスも発生しやすいので、この多段階式の嵌合工程は、組立者にとって煩わしい。さらに、これらのシステムは、嵌合中にツールおよび／またはレバー運動を必要とするので、追加的なアプリケーションパッケージ用の空間が必要であり、コネクタ内に配置できる端子の総数が少なくなる。
【発明の概要】
【課題を解決するための手段】
【０００３】
[0003]一実施形態によれば、コネクタが提供される。このコネクタは、案内スロットを画定する第１の外面を有する第１のハウジングを有する。このコネクタは、第２の外面を有する第２のハウジングも含む。この第２のハウジングは、第１のハウジングに嵌合するように構成され、この第２のハウジングは、この第２の外面から延びるピンを含む。このピンは、カム部および案内部を画定し、この案内部は、案内スロットと係合するように構成される。このコネクタは、非嵌合位置から嵌合位置に移動可能な嵌合補助スライダ（嵌合補助摺動部）も含む。この嵌合補助スライダは、長手方向に摺動可能に第１の外面の少なくとも一部に取り付けられ、かつそれを囲む。この嵌合補助スライダは、ラック歯を有する歯車ラック（ギヤラック）も含む。このコネクタは、第１の外面に可動に取り付けられたカム歯車（カムギヤ）も含む。このカム歯車は、ラック歯と係合する歯車歯（ギヤ歯）を有し、その結果、嵌合補助スライダの非嵌合位置から嵌合位置への動きに応じて、このカム歯車が動く。このカム歯車は、ピンのカム部を受けるためのカムスロットを画定する。このカムスロットは、案内スロットの一部を覆ってピンのカム部の移動経路を部分的に遮る、慣性戻り止め（慣性ディテント）を有する入口を有する。ピンが、慣性戻り止めを通り過ぎて動かされると、コネクタハウジングが適切に配置されたことを示す振動フィードバックが組立者に与えられ、嵌合補助スライダを非嵌合位置から嵌合位置に動かすことが可能になる。
【０００４】
[0004]他の実施形態では、コネクタが提供される。このコネクタは、案内スロットを画定する第１の外面を有する第１のハウジングを有する。このコネクタは、第２の外面を有する第２のハウジングも含む。この第２のハウジングは、第１のハウジングに嵌合するように構成され、この第２のハウジングは、第２の外面から延びるピンを含む。このピンは、カム部および案内部を画定し、この案内部は、案内スロットと係合するように構成される。このコネクタは、非嵌合位置から嵌合位置に移動可能な嵌合補助スライダ（嵌合補助摺動部）も含む。この嵌合補助スライダは、長手方向に摺動可能に第１の外面の少なくとも一部に取り付けられ、かつそれを囲む。この嵌合補助スライダは、ラック歯を有する歯車ラックも含む。このコネクタは、第１の外面に可動に取り付けられたカム歯車も含む。このカム歯車は、ラック歯と係合する歯車歯を有し、その結果、カム歯車が、嵌合補助スライダの非嵌合位置から嵌合位置への動きに応じて動く。このカム歯車は、ピンのカム部を受けるためのカムスロットを画定する。このカムスロットは、入口および終端（ストッパー）を有する。このカム歯車は、第１のハウジングの枢動ピンにカム歯車を可動に取り付けるように構成された枢動穴を、さらに画定する。この枢動穴は、開口部を画定し、この枢動穴の一部は、カムスロットと連通している。嵌合補助スライダが非嵌合位置から嵌合位置に動かされるとき、ピンは、軸方向に終端（ストッパー）に引き寄せられ、それによって、第２のハウジングが第１のハウジングに嵌合し、その結果、ピンと枢動ピンは、前記開口部で、０．７ミリメートル未満の間隔で並ぶ。
【０００５】
[0005]さらに別の実施形態では、コネクタが提供される。このコネクタは、案内スロットを画定する第１の外面を有する第１のハウジングを含む。このコネクタは、第２の外面を有する第２のハウジングも含み、この第２のハウジングは、第１のハウジングに嵌合するように構成される。第２のハウジングは、第２の外面から延びるピンを含む。このピンは、カム部および案内部を画定し、この案内部は、案内スロットと係合するように構成される。このコネクタは、非嵌合位置から嵌合位置に移動可能な嵌合補助スライダも含む。この嵌合補助スライダは、長手方向に摺動可能に第１の外面の少なくとも一部に取り付けられ、かつそれを囲む。この嵌合補助スライダは、ラック歯を有する歯車ラックを含む。このコネクタは、第１の外面に可動に取り付けられたカム歯車も含む。このカム歯車は、ラック歯と係合する歯車歯を有し、その結果、嵌合補助スライダの非嵌合位置から嵌合位置への動きに応じて、このカム歯車が動く。このカム歯車は、ピンのカム部を受けるためのカムスロットを画定する。このカム歯車は、第２のハウジングが第１のハウジングと嵌合されるとき、第２のハウジングから延びるロック解除用リブがロック用タブとの係合を解除するまで、カム歯車および嵌合補助スライダが動かないようにするように構成された、このロック用タブを含む。
【０００６】
[0006]さらなる特徴および利点は、非限定的な例を挙げるためだけに添付図面を参照して示される、好ましい実施形態に関する以下の詳細な説明を読めば、より明らかになろう。
【０００７】
[0007]本発明は、ここで添付図面を参照して、例として説明されることになる。
【図面の簡単な説明】
【０００８】
【図１】[0008]一実施形態による、嵌合補助スライダを有するコネクタを示す図である。
【図２】[0009]図２Ａは、本発明による、図１のコネクタの、非嵌合位置にある嵌合補助スライダの透視図である。[0010]図２Ｂは、嵌合補助スライダが嵌合位置にある、本発明による図２Ａのコネクタを示す図である。
【図３】[0011]図３Ａは、一実施形態によるカム歯車を示す図である。[0012]図３Ｂは、従来技術による、従来技術のカム歯車を示す図である。
【図４】[0013]図４Ａは、一実施形態によるカム歯車を示す図である。[0014]図４Ｂは、従来技術による、従来技術のカム歯車を示す図である。
【図５】[0015]図５Ａは、一実施形態による、ロック用タブを有するコネクタを示す図である。[0016]図５Ｂは、本発明によるロック用タブを有する、図５Ａのコネクタを示す図である。
【図６】[0017]一実施形態によるカム歯車を示す図である。
【発明を実施するための形態】
【０００９】
[0018]図１は、嵌合補助装置を有するコネクタ１０の非限定的な例を示す。コネクタ１０は、案内スロット１６を画定する第１の外面１４を有する第１のハウジング１２を含む。第１のハウジング１２は、ワイヤハーネスまたは他の電気的構成要素に連結することができる線材束（図示せず）に付くことができる、複数の電気端子（図示せず）を有することができる。第１のハウジング１２は、電線（図示せず）用の電線シールおよびストレインリリーフも含むことができる。
【００１０】
[0019]コネクタ１０は、第２の外面２０を有する第２のハウジング１８も含み、第２のハウジング１８は、第１のハウジング１２に着脱可能に嵌合するように構成される。第２のハウジング１８は、ワイヤハーネスまたは他の電気的構成要素（図示せず）に連結することができる線材束に付くことができる、第１のハウジング１２の電気端子に嵌合するように構成された、対応する複数の電気端子（図示せず）も有することができる。第２のハウジング１８は、電線用の電線シールおよび歪み解放部（ストレインリリーフ）と、外周シール（図示せず）を含んでもよく、これにより、第１のハウジング１２とのシールを形成することもできる。第２のハウジング１８は、第２の外面２０から延びるピン２２を含む。ピン２２は、カム部２４と案内部２６の両方を画定する。ピン２２の案内部２６は、第１のハウジング１２の案内スロット１６と係合し、この案内スロット１６に沿って摺動して、第１のハウジング１２と第２のハウジング１８が、嵌合する前に適切に位置合せされていることを確実とするように構成される。
【００１１】
[0020]コネクタ１０は、非嵌合位置３０（図２Ａ参照）から嵌合位置３２（図２Ｂ参照）に移動可能な、嵌合補助スライダ（嵌合補助摺動部）２８（図１参照）も含む。
[0021]図２Ａに示されるように、嵌合補助スライダ２８は、長手方向に摺動可能に第１の外面１４に取り付けられ、コネクタ１０の長手方向軸３４に平行な方向に動くように構成されている。嵌合補助スライダ２８は、第１の外面１４の一部を囲み、カム歯車４０と係合するように構成されたラック歯３８を有する歯車ラック３６を含む。
【００１２】
[0022]図２Ａに示されるように、コネクタ１０は、第１の外面１４に回転可能に取り付けられたカム歯車４０も含む。カム歯車４０は、ラック歯３８と係合する歯車歯４２を有し、その結果、嵌合補助スライダ２８の非嵌合位置３０から嵌合位置３２への動きに応じて、カム歯車４０が動く。カム歯車４０は、ピン２２のカム部２４を受けるためのカムスロット４４（図３Ａ参照）を画定する。カムスロット４４は、慣性戻り止め（慣性ディテント）４８を含む入口４６を有する。慣性戻り止め４８は、案内スロット１６の上に延びることによって案内スロット１６の一部を覆い、ピン２２のカム部２４の移動経路５０を部分的に遮る。ピン２２が慣性戻り止め４８を通り過ぎて動かされると、コネクタハウジングが適切に配置されたことを示す振動フィードバック５２が、組立者に与えられる。コネクタハウジングが適切に配置されることにより、嵌合補助スライダ２８を非嵌合位置３０から嵌合位置３２へ動かすことが可能になる。振動フィードバック５２は、組立者への可聴フィードバックおよび／または触覚フィードバックとして現れてもよい。外部のばねによって、また好ましくはコネクタ１０の構成要素（図３Ａ）の固有の屈曲から生じる内部のばね力によって、ピン２２が慣性戻り止め４８を通り過ぎて動かされるとき、慣性戻り止め４８は、カム歯車４０を屈曲させることによって偏向し、定位置（ホームポジション、原点位置）（特に図示せず）に戻ることができる。従来技術では、組立者がコネクタハウジング同士を位置合わせし（すなわち、整合させ）、次いでカム歯車４０を回転させてカムスロット４４にピン２２を収める必要があり、これは煩わしく、人間工学的に不利な工程であるので、慣性戻り止め４８は、従来技術（図３Ｂ）より有益である。図３Ａは、カム歯車４０の歯車歯４２が、曲線状経路５４に沿って位置合わせされている（すなわち、整合されている）一実施形態を示す。歯車歯４２は、図６に示されるように、直線状経路５６に沿って位置合わせされてもよい（整合されてもよい）。
【００１３】
[0023]コネクタ１０は、カム歯車４０も含むことができ、カム歯車４０は、さらに、終端（ストッパー）５８と、枢動穴６０（図３Ａ）とを画定している。枢動穴６０は、第１のハウジング１２から延びる枢動ピン６２にカム歯車４０を可動に取り付けるように構成されている。枢動穴６０は、開口部６４をさらに画定しており、枢動穴６０の一部は、カムスロット４４と連通している。図４Ａに示されるように、カム歯車４０が動かされるとき、ピン２２は、軸方向に終端５８に引き寄せられ、その結果、ピン２２と枢動ピン６２は、開口部６４で、０．７ミリメートル未満の間隔で並べられる（すなわち、ピン２２と枢動ピン６２は、開口部６４で、０．７ミリメートルよりも小さい間隔で離間する）。これにより、嵌合するハウジングの軸方向の変位量が、図４Ｂに示される従来技術に比べて２２％増加する。
【００１４】
[0024]図５Ａおよび図５Ｂに示されるように、コネクタ１０は、ロック用タブ６６を含むカム歯車４０も含むことができる。ロック用タブ６６は、第２のハウジング１８が第１のハウジング１２に嵌合されるとき、第２のハウジング１８から延びるロック解除用リブ６８がロック用タブ６６との係合を解除７０されるまで、カム歯車４０および嵌合補助スライダ２８が動かないように、構成されている。ロック用タブ６６を設けたので、より効果的となっている。というのは、ロック用タブ６６により、組立者が、嵌合補助スライダ２８を動かすことなく、第１のハウジング１２を第２のハウジング１８に適切に位置合わせする（整合させる）ことができ、それによってカムスロット４４の入口４６が適切な位置に保たれてピン２２を受け入れることができるからである。
【００１５】
[0025]本明細書で示される例は、電気コネクタシステムを対象とする。しかし、光ケーブルまたは電線と光ケーブルの両方を含むハイブリッド接続に使用するように構成された、コネクタシステムの他の実施形態が想定されてもよい。空気配管または液圧（油圧）配管を連結するように構成された、コネクタシステムのさらに他の実施形態が想定されてもよい。
【００１６】
[0026]したがって、嵌合補助構造を含むコネクタ１０が提供される。コネクタ１０は、従来技術のコネクタに対し改善されている。というのは、触覚フィードバックおよび／または可聴フィードバックでもよい、コネクタハウジングが適切に配置されたことを示す振動フィードバック５２が、組立者に与えられるからである。また、コネクタ１０は、従来技術のコネクタと比較して、嵌合するハウジングの軸方向の変位量を増加させることもできる。
【００１７】
[0027]本発明は、その好ましい実施形態の観点から説明されてきたが、本発明はそれに限定されるものではなく、むしろ、後に続く特許請求の範囲に記載の範囲のみに限定されるものである。
【符号の説明】
【００１８】
１０  コネクタ
１２  第１のハウジング
１４  第１の外面
１６  案内スロット
１８  第２のハウジング
２０  第２の外面
２２  ピン
２４  カム部
２６  案内部
２８  嵌合補助スライダ
３０  非嵌合位置
３２  嵌合位置
３４  長手方向軸
３６  歯車ラック
３８  ラック歯
４０  カム歯車
４２  歯車歯
４４  カムスロット
４６  入口
４８  慣性戻り止め（慣性ディテント）
５０  移動経路
５２  振動フィードバック
５４  曲線状経路
５６  直線状経路
５８  終端（ストッパー）
６０  枢動穴
６２  枢動ピン
６４  開口部
６６  ロック用タブ
６８  ロック解除用リブ
７０  解除
【図１】
2018129299.tif 000003
【図２】
2018129299.tif 000004
【図３】
2018129299.tif 000005
【図４】
2018129299.tif 000006
【図５】
2018129299.tif 000007
【図６】
2018129299.tif 000008
【外国語明細書】
2018129299000001.pdf